(57)【特許請求の範囲】
【請求項１】
録画された映像を再生する映像再生装置を用いて、特定の映像を視聴することが可能な条件を満たさない視聴者による視聴を制限する必要がある制限映像の再生を制限する映像再生制限方法において、
録画された制限映像の録画開始時刻から所定の時刻までの時間帯に前記映像再生装置で前記制限映像を再生することを可能にし、
前記時間帯以外の時間帯に前記映像再生装置で前記制限映像を再生することを禁止すること
を特徴とする映像再生制限方法。
【請求項２】
放送された映像及び該映像の録画開始時刻を記録する記録媒体に記録された映像を再生する再生手段を備える映像再生装置において、
記録媒体に録画された映像の内の特定の映像を視聴することが可能な条件を満たさない視聴者による視聴を制限する必要がある制限映像の録画開始時刻から所定の時刻までの時間帯に前記再生手段が前記制限映像を再生することを許可し、前記時間帯以外の時間帯に前記再生手段が前記制限映像を再生することを禁止する手段を備えることを特徴とする映像再生装置。
【請求項３】
放送された映像を録画する録画手段と、映像の録画開始時刻を記録する手段と、前記録画手段が録画した映像を再生する再生手段とを備える映像再生装置において、
前記録画手段が録画した映像の内の特定の映像を視聴することが可能な視聴可能条件を満たさない視聴者による視聴を制限する必要がある制限映像の録画開始時刻から所定の時刻までの時間帯に前記再生手段が前記制限映像を再生することを許可し、前記時間帯以外の時間帯に前記再生手段が前記制限映像を再生することを禁止する手段を備えることを特徴とする映像再生装置。
【請求項４】
前記録画手段が録画した一又は複数の映像の内容を示す内容情報を出力する内容情報出力手段と、
前記録画手段が録画した制限映像の録画開始時刻から所定の時刻までの時間帯に前記制限映像の内容情報を前記内容情報出力手段が出力することを許可し、前記時間帯以外の時間帯に前記制限映像の内容情報を前記内容情報出力手段が出力することを禁止する手段と
を更に備えることを特徴とする請求項３に記載の映像再生装置。
【請求項５】
前記録画手段に、放送された制限映像を録画する際に、録画されるべき制限映像が放送されるチャンネルとは別のチャンネルで前記制限映像に並行して放送される他の映像を、前記制限映像と共に録画させる手段と、
前記録画手段が録画した制限映像の録画開始時刻から所定の時刻までの時間帯以外の時間帯には、前記内容情報出力手段に、前記制限映像と共に前記録画手段が録画した前記他の映像の内容情報を出力させる手段と
を更に備えることを特徴とする請求項４に記載の映像再生装置。
【請求項６】
前記録画手段は、映像をエンコードして所定の記録媒体に記録するように構成してあり、
制限映像をエンコードする圧縮率よりも高い圧縮率で前記他の映像を前記録画手段にエンコードさせる手段を更に備えること
を特徴とする請求項５に記載の映像再生装置。
【請求項７】
放送された映像を録画する録画手段と、映像の録画開始時刻を記録する手段と、前記録画手段が録画した映像を再生する再生手段とを備える映像再生装置において、
前記録画手段が録画した映像の内の特定の映像を視聴することが可能な視聴可能条件を満たさない視聴者による視聴を制限する必要がある制限映像の録画開始時刻から所定の時刻までの時間帯以外の時間帯には、前記制限映像の画質を劣化させた映像を前記再生手段に再生させる手段を備えることを特徴とする映像再生装置。
【発明の詳細な説明】
【技術分野】
【０００１】  本発明は、特定の映像を視聴することが可能な視聴可能条件（主として年令）を満たさない視聴者による視聴を制限する必要がある映像の再生を制限するための映像再生制限方法及びそのような方法を実現する映像再生装置に関する。
【背景技術】
【０００２】  現在では、映画，テレビジョン放送，光ディスク等の記録媒体，又はインターネットを介した配信等の種々の方法により、各種の映像を家庭で、より具体的には個々人の自室で視聴することが可能になっている。これらの映像には、暴力表現又は性的描写等のような主として若年者層による視聴を制限することが好ましいシーンを含んだものがある。通常、このような映像（以下、制限映像という）を視聴することが制限される対象は若年者層であるので、映画館で制限映像が上映される場合には映画館への入場者の年齢を制限すればよい。また、制限映像が記録された記録媒体に関しては、ショップでの購入者の年齢を制限すればよい。しかし、テレビジョン放送では視聴者を原理的には制限できないので、制限映像が放送される時間帯が深夜に限定される場合が多い。【０００３】  また映像そのもの、より具体的には映像のデータに対して視聴の制限に関する情報を付加しておくことも一部では行なわれている。例えば特許文献１には、映像に付加された情報を用いることにより、放送される映像に視聴を制限すべき制限部分が含まれている場合はテレビジョン受像機が自動的に制限部分をスキップする技術が開示されている。また特許文献２には、記録媒体に記録された映像に制限部分が含まれている場合に、制限部分をスキップしつつ映像を再生する技術が開示されている。
【特許文献１】特開２０００−２１７０９２号公報
【特許文献２】特表２００３−５２４９５９号公報
【発明の開示】
【発明が解決しようとする課題】
【０００４】  ところが近年では、放送された映像を磁気記録媒体又は光ディスク等の記録媒体に記録しておき、後日再生することが可能な映像記録再生装置が普及している。このような映像記録再生装置を用いて映像が記録された場合、制限映像であっても何等の制限無しで再生することが可能であるという問題がある。例えば、制限映像の放送時間帯を若年者層が就寝している深夜に限定したとしても、それをいわゆる予約録画機能によって記録しておけば、本来はそのような制限映像を視聴することができない若年者層もそのような制限映像を例えば昼間の時間帯に視聴することが可能になる。また、再生装置に備えられている映像の再生を制限する機能が何らかの方法で解除された場合には、記録されている制限映像を自由に視聴することが可能になる。【０００５】  本発明は、以上のような事情に鑑みてなされたものであり、その主たる目的は、若年者層等のような特定の映像を視聴することが可能な視聴可能条件を満たさない視聴者による視聴を制限すべき映像（制限映像）の視聴を、制限する必要がある場合には確実に制限し、制限する必要が無い場合には制限されないようにすることが可能な映像再生制限方法及び映像再生装置を提供することにある。
【課題を解決するための手段】
【０００６】  本発明は端的には、たとえば深夜のような特定の時間帯に記録（録画）された映像に関しては特定の時間帯のみに再生可能にすることにより、若年者層等のような特定の映像を視聴することが可能な条件を満たさない視聴者が特定の時間帯に録画された特定の映像を特定の時間帯以外の時間帯に視聴することを防止できるように、又は画質が劣化した状態で視聴せざるを得ないように構成したものである。【０００７】  本発明は、録画された映像を再生する映像再生装置を用いて、特定の映像を視聴することが可能な条件を満たさない視聴者による視聴を制限する必要がある制限映像の再生を制限する映像再生制限方法において、録画された制限映像の録画開始時刻から所定の時刻までの時間帯に前記映像再生装置で前記制限映像を再生することを可能にし、前記時間帯以外の時間帯に前記映像再生装置で前記制限映像を再生することを禁止することを特徴とする。【０００９】  更に本発明は、放送された映像及び該映像の録画開始時刻を記録する記録媒体に記録された映像を再生する再生手段を備える映像再生装置において、記録媒体に録画された映像の内の特定の映像を視聴することが可能な条件を満たさない視聴者による視聴を制限する必要がある制限映像の録画開始時刻から所定の時刻までの時間帯に前記再生手段が前記制限映像を再生することを許可し、前記時間帯以外の時間帯に前記再生手段が前記制限映像を再生することを禁止する手段を備えることを特徴とする。【００１０】  また更に本発明は、放送された映像を録画する録画手段と、映像の録画開始時刻を記録する手段と、前記録画手段が録画した映像を再生する再生手段とを備える映像再生装置において、前記録画手段が録画した映像の内の特定の映像を視聴することが可能な視聴可能条件を満たさない視聴者による視聴を制限する必要がある制限映像の録画開始時刻から所定の時刻までの時間帯に前記再生手段が前記制限映像を再生することを許可し、前記時間帯以外の時間帯に前記再生手段が前記制限映像を再生することを禁止する手段を備えることを特徴とする。【００１１】  以上のような本発明に係る映像再生制限方法及び映像再生装置では、若年者層等の特定の映像を視聴することが可能な視聴可能条件を満たさない視聴者による視聴を制限すべき制限映像が録画されている場合は、その制限映像はその録画開始時刻から所定の時刻までの時間帯以外の時間帯に再生することが禁止される。【００１２】  更に本発明は上記の映像再生装置の発明において、前記録画手段が録画した一又は複数の映像の内容を示す内容情報を出力する内容情報出力手段と、前記録画手段が録画した制限映像の録画開始時刻から所定の時刻までの時間帯に前記制限映像の内容情報を前記内容情報出力手段が出力することを許可し、前記時間帯以外の時間帯に前記制限映像の内容情報を前記内容情報出力手段が出力することを禁止する手段とを更に備えることを特徴とする。【００１３】  このような本発明に係る映像再生装置では上記の映像再生装置の発明において、録画した映像の内容を示すサムネイル等の内容情報が出力される際に、制限映像に関してはその録画開始時刻から所定の時刻までの時間帯以外の時間帯には内容情報の出力が禁止され���。【００１４】  更に本発明は上記の映像再生装置の発明において、前記録画手段に、放送された制限映像を録画する際に、録画されるべき制限映像が放送されるチャンネルとは別のチャンネルで前記制限映像に並行して放送される他の映像を、前記制限映像と共に録画させる手段と、前記録画手段が録画した制限映像の録画開始時刻から所定の時刻までの時間帯以外の時間帯には、前記内容情報出力手段に、前記制限映像と共に前記録画手段が録画した前記他の映像の内容情報を出力させる手段とを更に備えることを特徴とする。【００１５】  このような本発明に係る映像再生装置では上記の映像再生装置の発明において、制限映像の録画開始時刻から所定の時刻までの時間帯以外の時間帯には、制限映像の内容情報が出力される代わりに制限映像と並行して録画された他の映像の内容情報が出力される。【００１６】  更に本発明は上記の映像再生装置の発明において、前記録画手段は、映像をエンコードして所定の記録媒体に記録するように構成してあり、制限映像をエンコードする圧縮率よりも高い圧縮率で前記他の映像を前記録画手段にエンコードさせる手段を更に備えることを特徴とする。【００１７】  このような本発明に係る映像再生装置では上記の映像再生装置の発明において、制限映像と並行して他の映像が録画される際には、制限映像よりも高い圧縮率でエンコードされる。【００２３】  更に本発明は、放送された映像を録画する録画手段と、映像の録画開始時刻を記録する手段と、前記録画手段が録画した映像を再生する再生手段とを備える映像再生装置において、前記録画手段が録画した映像の内の特定の映像を視聴することが可能な視聴可能条件を満たさない視聴者による視聴を制限する必要がある制限映像の録画開始時刻から所定の時刻までの時間帯以外の時間帯には、前記制限映像の画質を劣化させた映像を前記再生手段に再生させる手段を備えることを特徴とする。【００２４】  このような本発明に係る映像再生装置では、若年者層等の特定の映像を視聴することが可能な条件を満たさない視聴者による視聴を制限すべき制限映像が録画されている場合、そのような制限映像はその録画開始時刻から所定の時刻までの時間帯以外の時間帯には例えば赤色成分を低減させる等により画質が劣化された状態で再生される。
【発明の効果】
【００２９】  以上のような本発明によれば、制限映像の録画開始時刻から所定の時刻までの時間帯以外の時間帯に制限映像が再生されることが禁止されるので、制限映像の放送時間帯を限定することにより、特定の映像を視聴することが可能な視聴可能条件を満たさない視聴者による視聴を制限する制限映像を録画した場合でも、録画した制限映像は録画開始時刻、即ち元の放送時刻から所定の時刻までの時間帯でしか再生できないので、視聴可能条件を満たさない視聴者が制限映像を視聴することを防止することができる。【００３０】  また本発明によれば、制限映像の録画開始時刻から所定の時刻までの時間帯以外の時間帯には、制限映像の内容情報が出力されないので、視聴者は制限映像が録画されていることを認識できず、制限映像が再生されることを確実に禁止することができる。【００３１】  また本発明によれば、制限映像の録画開始時刻から所定の時刻までの時間帯以外の時間帯には、制限映像の録画と並行して録画してある他の映像の内容情報が出力されるので、使用者が他の映像の内容情報を確認することによって、制限映像の内容情報が表示されていない場合でも、制限映像が録画されていることを使用者が確認することができる。【００３２】  また本発明によれば、制限映像の録画と並行して他の映像を録画する際には、制限映像よりも高い圧縮率でエンコードして記録することにより、余分に必要となる記録媒体の容量を可及的に小さくすることができる。【００３５】  また本発明によれば、制限映像の録画開始時刻から所定の時刻までの時間帯以外の時間帯に再生する制限映像の画質を劣化させることにより、例えば赤色成分を低減することによって血の色が見えなくなる等、制限映像が視聴者に与える影響が軽減されるので、制限映像の録画開始時刻から所定の時刻までの時間帯以外の時間帯に間違って制限映像を再生した場合においても、制限映像の視聴を制限する必要がある若年者層等の視聴可能条件を満たさない視聴者に与える影響を抑制することが可能になる。【００３６】  また本発明によれば、制限映像が放送される可能性がある制限時間帯に録画した映像を再生する際に映像の画質を劣化させることにより、制限時間帯以外の時間帯に間違って制限映像を再生した場合においても、視聴可能条件を満たさない視聴者に与える影響を抑制することが可能になる。
【図面の簡単な説明】
【００３８】
【図１】本発明に係る映像再生装置の内部構成例を示すブロック図である。
【図２】実施の形態１に係る映像再生装置が録画予約を行なう際の処理手順を示すフローチャートである。
【図３】実施の形態１に係る映像再生装置が映像を録画する際の処理手順を示すフローチャートである。
【図４】実施の形態１に係る映像再生装置が映像を再生する際の処理手順を図５と共に示すフローチャートである。
【図５】実施の形態１に係る映像再生装置が映像を再生する際の処理手順を図４と共に示すフローチャートである。
【図６】テレビジョン受像機の画面に所定数のサムネイルが表示された状態を例示する模式図である。
【図７】実施の形態２に係る映像再生装置が映像を再生する際の処理手順を図８と共に示すフローチャートである。
【図８】実施の形態２に係る映像再生装置が映像を再生する際の処理手順を図７と共に示すフローチャートである。
【図９】実施の形態３に係る映像再生装置が映像を再生する際の処理手順を図１０及び図１１と共に示すフローチャートである。
【図１０】実施の形態３に係る映像再生装置が映像を再生する際の処理手順を図９及び図１１と共に示すフローチャートである。
【図１１】実施の形態３に係る映像再生装置が映像を再生する際の処理手順を図９及び図１０と共に示すフローチャートである。
【図１２】実施の形態４に係る映像再生装置が映像を再生する際の処理手順を図１３及び図１４と共に示すフローチャートである。
【図１３】実施の形態４に係る映像再生装置が映像を再生する際の処理手順を図１２及び図１４と共に示すフローチャートである。
【図１４】実施の形態４に係る映像再生装置が映像を再生する際の処理手順を図１２及び図１３と共に示すフローチャートである。
【符号の説明】
【００３９】  １  映像再生装置
１１  制御部
１４  計時部（計時手段）
２１  信号処理部
２２  ドライブ部
２３  チューナ部（外部時刻情報受信手段）
２４  出力部
【発明を実施するための最良の形態】
【００４０】  以下、本発明をその実施の形態を示す図面に基づき具体的に説明する。【００４１】（実施の形態１）
図１は本発明の実施の形態１に係る映像再生装置１の内部構成例を示すブロック図である。【００４２】  本発明の実施の形態１に係る映像再生装置１は、映像再生装置１全体の動作を制御する制御部１１を備えている。制御部１１には、映像再生装置１が行なう処理に必要な各種の情報を記憶するＲＡＭ１２、映像再生装置１を制御部１１が制御するための制御プログラムを記憶したＲＯＭ１３、及び映像再生装置１内部での時刻を計時する計時部（計時手段）１４が接続されている。また制御部１１には、必要な情報を表示するための小型の液晶ディスプレイ等の表示部１５と、使用者による操作を受け付ける操作部１６と、図示しないリモートコントローラから発信された光信号を受光するリモートコントローラ受光部１７とが接続されている。リモートコントローラ受光部１７は、図示しないリモートコントローラからの光信号を受光し、受光した内容を制御部１１へ入力するように構成されている。操作部１６は、使用者が操作可能な各種のスイッチ及びボタンの集合からなる。操作部１６の各スイッチ又はボタンが使用者により操作された場合には、それぞれに割り当てられている信号が制御部１１へ入力される。なお、表示部１５及び操作部１６はタッチパネルで構成することも可能である。【００４３】  また制御部１１には、映像信号及び音声信号の処理及び伝送を行なう信号処理部２１が接続されている。信号処理部２１には、地上波放送，衛星放送，有線放送，アナログ放送，デジタル放送等の各種の放送を受信するためのチューナ部２３が接続されている。チューナ部２３は映像に対応する放送信号を受信する。信号処理部２１はチューナ部２３が受信した放送信号のデコード等の信号処理を行なう。またチューナ部２３は、映像に対応する放送信号以外に、電子番組表（ＥＰＧ：Ｅｌｅｃｔｒｏｎｉｃ  Ｐｒｏｇｒａｍ  Ｇｕｉｄｅ）のデータを受信することが可能である。従って、映像再生装置１は、受信したＥＰＧデータを利用した番組選択又は番組予約を行なうことができる。更にチューナ部２３は、例えば受信した放送信号に含まれるデータから外部での時刻、具体的には映像受信装置１が設置されている地域の標準時を示す外部時刻情報を随時受信するように構成されており、外部時刻情報受信手段として機能する。制御部１１は、計時部１４が計時する映像再生装置１内部での時刻（以下、内部時刻という）を、チューナ部２３が受信した外部時刻情報が示す時刻に同期させる処理も行なう。【００４４】  また制御部１１及び信号処理部２１には、光ディスク，ハードディスク，磁気テープ又は半導体メモリ等の記録媒体に対してデータの記録及び読み出しを行なうドライブ部２２が接続されている。ドライブ部２２は、外部への取り出しが不可能な状態で内蔵された記録媒体としてのハードディスクに対してデータの記録及び読み出しを行なう構成であってもよい。また、ドライブ部２２は、外部への取り出しが可能な光ディスク，磁気テープ又は半導体メモリカード等の脱着可能な可搬タイプの記録媒体が装着されている場合にデータの記録及び読み出しを行なう構成であってもよい。また図１中には単一のドライブ部２２が示されているが、映像再生装置１は、ハードディスクドライブ��光ディスクドライブとを備える等、複数のドライブ部２２を備えるように構成されていてもよい。いずれにしろ、ドライブ部２２は記録媒体の記憶容量の範囲内で複数の映像を記録媒体に記録（録画）することが可能である。【００４５】  制御部１１は信号処理部２１及びドライブ部２２の動作を制御する。この制御部１１の制御により、信号処理部２１はチューナ部２３が受信した放送信号を処理して記録用にエンコードし、ドライブ部２２は信号処理部２１がエンコードしたデータを記録媒体に記録する。このようにして、制御部１１，信号処理部２１及びドライブ部２２は録画手段として機能する。【００４６】  また信号処理部２１には、外部へ映像データ及び音声データを出力する出力部２４が接続されている。出力部２４には、通常、ＣＲＴディスプレイ又は液晶ディスプレイ等を用いたテレビジョン受像機３が接続されている。制御部１１の制御により、ドライブ部２２は記録媒体から必要なデータを読み出し、信号処理部２１はドライブ部２２が読み出したデータをデコードし、出力部２４は信号処理部２１がデコードしたデータをテレビジョン受像機３へ出力する。テレビジョン受像機３は、出力部２４から出力されたデータに基づいて画面に映像を表示し、スピーカから音声を再生する。このようにして、制御部１１，信号処理部２１，ドライブ部２２及び出力部２４は再生手段として機能する。【００４７】  次に、上述したような構成の本発明の実施の形態１に係る映像再生装置１が行なう処理について説明する。本実施の形態１では、映像再生装置１は、一例としてＰＧ１３（Ｐａｒｅｎｔａｌ  Ｇｕｉｄａｎｃｅ  １３ｔｈ）の指定を受けている映画等のような、特定の映像を視聴することが可能な条件（以下、視聴可能条件という）を満たさない視聴者による視聴を制限すべき映像である制限映像の再生を制限する処理を行なう。具体的には、映像再生装置１は、若年者層の視聴を制限するために深夜の時間帯に放送される制限映像を録画した場合は、その制限映像を録画した録画開始時刻から所定の時刻までの時間帯においてのみその制限映像の再生を可能にする。制限映像の再生が可能な時間帯が終了する時刻としては夜明けの一時間前等の所定の時刻が指定されており、この所定の時刻はＲＯＭ１３に記憶されている。【００４８】  図２は実施の形態１に係る映像再生装置１が録画予約を行なう際の処理手順を示すフローチャートであり、ＲＯＭ１３に記憶されている制御プログラムに従って制御部１１が実行する。【００４９】  チューナ部２３はＥＰＧデータを随時受信しており、制御部１１はチューナ部２３が受信したＥＰＧデータをＲＡＭ１２に記憶させる。ＥＧＰデータは各チャンネルで放送される各番組の放送開始時刻及び放送終了時刻を特定する情報を含んでおり、更に、制限映像の番組を特定する情報を含んでいる。操作部１６を使用者が操作することによる指示の受付、又はリモートコントローラ受光部１７での光信号の受信に応じて、制御部１１は、ＲＡＭ１２が記憶しているＥＰＧデータを出力部２４からテレビジョン受像機３へ出力することにより、ＥＰＧをテレビジョン受像機３の画面に表示させる（Ｓ１１）。使用者が操作部１６又はリモートコントローラを操作することによって、テレビジョン受像機３の画面上で録画予約をすべき番組が選択される。このようにして選択された番組の録画予約の指示を、操作部１６又はリモートコントローラ受光部１７を介して制御部１１が受け付ける（Ｓ１２）。【００５０】  制御部１１は、次に、ＲＡＭ１２が記憶しているＥＰＧデータに基づいて、録画予約の指示を受け付けた番組が制限映像の番組であるか否かを判定する（Ｓ１３）。録画予約の指示を受け付けた番組が制限映像の番組であると判定された場合（Ｓ１３：ＹＥＳ）、制御部１１は、録画予約の指示を受け付けた番組を特定する予約情報にその番組が制限映像の番組であることを特定する制限情報を関連付けてＲＡＭ１２に記憶させ（Ｓ１４）、処理を終了する。録画予約の指示を受け付けた番組が制限映像の番組ではないと判定された場合（Ｓ１３：ＮＯ）、制御部１１は、ステップＳ１４の処理は行なわずに、録画予約の指示を受け付けた番組を特定する予約情報のみをＲＡＭ１２に記憶させ（Ｓ１５）、処理を終了する。【００５１】  以上の図２に示した処理手順では、ＥＰＧを用いて録画予約を行なう処理を示したが、Ｇコードを用いる方法等、その他の方法で録画予約が行なわれるようにしてもよい。また録画予約される番組が制限映像の番組であるか否かをＥＰＧデータに基づいて判定するのではなく、録画予約の指示を受け付けた番組が制限映像の番組であるか否かを特定する情報を、使用者の操作部１６又はリモートコントローラの操作によって映像再生装置１が入力させるようにしてもよい。【００５２】  図３は実施の形態１に係る映像再生装置１が映像を録画する際の処理手順を示すフローチャートであり、ＲＯＭ１３に記憶されている制御プログラムに従って制御部１１が実行する。【００５３】  制御部１１は、計時部１４が計時する内部時刻に基づいて、ＲＡＭ１２が記憶している予約情報に従って、録画の開始を指定された録画開始時刻になったか否かを随時判定する（Ｓ２１）。未だ録画開始時刻になっていないと判定された場合（Ｓ２１：ＮＯ）、制御部１１は、録画開始時刻になったか否かの判定を継続する。録画開始時刻になったと判定された場合（Ｓ２１：ＹＥＳ）、制御部１１は、録画を行なうべき番組を特定する予約情報に制限情報が関連付けられているか否かを判定する（Ｓ２２）。【００５４】  ステップＳ２２で予約情報に制限情報が関連付けられていると判定された場合（Ｓ２２：ＹＥＳ）、制御部１１は、予約情報で特定されるチャンネルの放送信号をチューナ部２３で放送終了時刻まで受信し、受信した放送信号を信号処理部２１がデコード処理したデータをドライブ部２２で記録媒体に記録する。この際、予約情報で特定される番組の映像に、録画開始時刻、録画日、ＥＰＧデータから抜き出した番組名等のメタデータと制限情報とが関連付けられてドライブ部２２で記録媒体に記録される。また同時に制御部１１は、予約情報で特定される番組が放送されるチャンネルとは別のチャンネルで並行して放送されているいわゆる裏番組の映像及びメタデータを、予約情報で特定される番組に関連付けてドライブ部２２で記録媒体に記録する（Ｓ２３）。なお、制御部１１は、予約情報で特定される番組の映像を信号処理部��１がエンコードする際の圧縮率に比して、裏番組の映像をより高い圧縮率で信号処理部２１にエンコードさせてドライブ部２２で記録媒体に記録させる。なお、裏番組のチャンネルは、制限映像の番組を放送することがない例えば教育番組専門のチャンネルのような特定のチャンネルに予め設定されていてもよいし、ランダムに選択されるようにしてもよい。但し、ランダムに裏番組を選択する場合は、制限映像の番組ではない番組を選択することが必要である。【００５５】  ステップＳ２２で予約情報に制限情報が関連付けられていないと判定された場合（Ｓ２２：ＮＯ）、制御部１１は、予約情報で特定される番組の映像及びメタデータのみをドライブ部２２で記録媒体に記録させる（Ｓ２４）。ステップＳ２３又はステップＳ２４での処理が終了した後は、制御部１１は、処理を終了する。【００５６】  図４及び図５は実施の形態１に係る映像再生装置１が映像を再生する際の処理手順を示すフローチャートであり、ＲＯＭ１３に記憶されている制御プログラムに従って制御部１１が実行する。【００５７】  前述した如く、ドライブ部２２は記録媒体の記憶容量の範囲内で複数の映像を記録することが可能である。従って、ドライブ部２２の記録媒体に記録されている複数の映像から使用者が再生したい映像を選択するための支援手段として、制御部１１は、ドライブ部２２の記録媒体に記録されている各映像に含まれる画像（例えば録画開始時点の画像）を縮小したサムネイルをテレビジョン受像機３の画面に表示させる処理が可能である。但し、テレビジョン受像機３の画面に同時に表示可能なサムネイルの数には限度があるので、制御部１１は、例えば録画開始時刻が新しい側から所定数の映像それぞれに対応する所定数のサムネイルを同時にテレビジョン受像機３の画面に表示させる。【００５８】  制御部１１は、ドライブ部２２の記録媒体に記録されている映像のサムネイルの表示指示の受付を待機している（Ｓ３１）。なお、映像のサムネイルの表示指示は使用者が操作部１６又はリモートコントローラを操作することにより映像再生装置１に与えられる。サムネイルの表示指示の受付がない場合（Ｓ３１：ＮＯ）、制御部１１は、サムネイルの表示指示の受付の待機を継続する。操作部１６又はリモートコントローラ受光部１７でサムネイルの表示指示が受け付けられた場合（Ｓ３１：ＹＥＳ）、制御部１１は、ドライブ部２２の記録媒体に記録されているサムネイルを表示すべき所定数の映像の内に制限情報が関連付けられている制限映像が含まれているか否かを判定する（Ｓ３２）。サムネイルを表示すべき所定数の映像の内に制限映像が含まれていると判定された場合（Ｓ３２：ＹＥＳ）、制御部１１は、内部時刻がサムネイルを表示すべき制限映像の録画開始時刻からＲＯＭ１３が記憶している所定の時刻までの時間帯、即ちその制限映像を再生することが可能な時間帯（以下、再生可能時間帯という）内であるか否かを判定する（Ｓ３３）。内部時刻が制限映像の再生可能時間帯内ではないと判定された場合（Ｓ３３：ＮＯ）、制御部１１は、所定数のサムネイルの内の制限映像のサムネイルをその制限映像が記録された際に同時に記録された裏番組の映像のサムネイルに差し替え、制限映像ではない他の映像のサムネイルと共に所定数のサムネイルをテレビジョン受像機３の画面に表示させる（Ｓ３４）。【００５９】  ステップＳ３２でサムネイルを表示すべき所定数の映像の内に制限映像が含まれていないと判定された場合（Ｓ３２：ＮＯ）、又はステップＳ３３で内部時刻が制限映像の再生可能時間帯内であると判定された場合（Ｓ３３：ＹＥＳ）、制御部１１は、出力部２４から所定数のサムネイル用のデータをそのままテレビジョン受像機３へ出力することによって、所定数の映像それぞれに対応する所定数のサムネイルをテレビジョン受像機３の画面に表示させる（Ｓ３５）。【００６０】  ステップＳ３４又はステップＳ３５での処理が終了した後、制御部１１は、サムネイルがテレビジョン受像器３に表示されている複数の映像の内のいずれかの再生指示の受付を待機している（Ｓ３６）。なお、映像の再生指示は操作部１６又はリモートコントローラを使用者が操作することにより映像再生装置１に与えられる。再生指示の受付がない場合（Ｓ３６：ＮＯ）、制御部１１は、処理をステップＳ３２へ戻す。従って、サムネイルが表示された状態で使用者が何等の操作も行なわない場合、制御部１１は上述したステップＳ３２からステップＳ３６へ至る処理を反復することにより、所定数のサムネイルの表示を継続する。【００６１】  ところでこの場合には、上述したステップＳ３２での判定結果は変化することは無く、「ＮＯ」である場合は（所定数の映像中に制限映像が含まれていない）、制御部１１はそれまでと同一のサムネイルをテレビジョン受像器３に表示させ続ける。また、ステップＳ３２での判定結果が「ＹＥＳ」である場合は（所定数の映像中に制限映像が含まれている）、制御部１１は、前述した如くステップＳ３３での判定処理を行なう。ところで、このステップＳ３３での判定結果は時間の経過に伴なって「ＹＥＳ」から「ＮＯ」へ、又は逆に「ＮＯ」から「ＹＥＳ」へ変化する場合がある。従って、サムネイルが表示された状態で使用者が何等の操作も行なわない間に、内部時刻が制限映像の再生可能時間帯外（Ｓ３３：ＮＯ）から再生可能時間帯内になった場合（Ｓ３３：ＹＥＳ）、それまで表示されていた裏番組の映像のサムネイルに代えて制限映像のサムネイルを含む所定数のサムネイルがそのまま表示される（Ｓ３５）。逆に、サムネイルが表示された状態で使用者が何等の操作も行なわない間に、内部時刻が制限映像の再生可能時間帯内（Ｓ３３：ＹＥＳ）から再生可能時間帯外になった場合（Ｓ３３：ＮＯ）、それまで表示されていた制限映像のサムネイルが裏番組の映像のサムネイルに差し替えられ、所定数のサムネイルが表示される（Ｓ３４）。【００６２】  いずれにしろ以上のようにして所定数のサムネイルが表示されている間に、いずれかの映像の再生指示が受け付けられた場合（Ｓ３６：ＹＥＳ）、制御部１１は、再生が指示された映像のデータをドライブ部２２に記録媒体から読み出させ、読み出されたデータを信号処理部２１に処理させて出力部２４からテレビジョン受像器３へ出力させる。このようにして信号処理部２１から出力されたデータに基づいてテレビジョン受像器３が映像を表示することにより、再生が指示された映像の再生が開始され���（Ｓ３７）。【００６３】  映像の再生が開始された後は映像の再生が終了するまで、制御部１１は以下のような処理を反復実行する。まず、制御部１１は再生中の映像が制限映像であるか否かを判定する（Ｓ３８）。再生中の映像が制限映像ではない場合（Ｓ３８：ＮＯ）、制御部１１は再生中の映像が最後まで再生されたか否か（Ｓ３９）、及び操作部１６又はリモートコントローラを使用者が操作することによる再生停止指示を受け付けたか否かを判定する（Ｓ４０）。再生中の映像の再生が最後までは行なわれておらず（Ｓ３９：ＮＯ）、且つ再生停止指示が受け付けられていない場合（Ｓ４０：ＮＯ）、制御部１１は映像の再生を継続しつつ（Ｓ４１）、ステップＳ３８へ処理を戻して上述同様の処理を反復する。再生中の映像の再生が最後まで行なわれた場合（Ｓ３９：ＹＥＳ）、又は再生停止指示が受け付けられた場合（Ｓ４０：ＹＥＳ）、制御部１１は映像の再生を停止し（Ｓ４２）、ステップＳ３１へ処理を戻す。従って、制限映像ではない映像の再生が開始された場合は、使用者が再生の停止を指示しない限りはその映像は最後まで再生される。【００６４】  一方、再生中の映像が制限映像である場合（Ｓ３８：ＹＥＳ）、制御部１１は、内部時刻が制限映像の再生可能時間帯内であるか否かを判定する（Ｓ４３）。内部時刻が制限映像の再生可能時間帯内であると判定された場合（Ｓ４３：ＹＥＳ）、制御部１１は、ステップＳ３９へ処理を進め、再生中の映像が制限映像ではない前述した場合と同様の処理を行なう。【００６５】  しかし、内部時刻が制限映像の再生可能時間帯内ではないと判定された場合（Ｓ４３：ＮＯ）、具体的には制限映像の再生中に内部時刻が再生可能時間帯内（Ｓ４３：ＹＥＳ）から再生可能時間帯外になった場合（Ｓ４３：ＮＯ）、制御部１１は、再生中の制限映像の再生を強制的に停止し（Ｓ４２）、ステップＳ３１へ処理を戻す。従って、制限映像の再生可能時間帯において制限映像の再生を開始することが出来たとしても、制限映像の再生可能時間帯が終了した時点で制限映像の再生が停止される。この場合、既にその制限映像の再生可能時間帯を過ぎているので、再生が停止された制限映像を再度再生させるために使用者がサムネイルの表示を再度指示したとしても、前述したように制限映像のサムネイルは表示されずに裏番組のサムネイルが表示される。従って、強制的に再生が停止された制限映像は、次にその制限映像の再生可能時間帯になるまでは再生することは出来ない。【００６６】  なお、テレビジョン受像器３の画面に表示されている所定数のサムネイルに対応する数以上の映像がドライブ部２２の記録媒体に記録されている場合、使用者が操作部１６又はリモートコントローラを操作することにより、録画開始時刻が新しい側から古い側へ所定数単位で順次的に各映像のサムネイルを表示させることが可能である。勿論、このようにして表示されたサムネイルは前述同様にして、使用者が操作部１６又はリモートコントローラを操作することにより指定すれば対応する映像の再生が開始され、図４及び図５に示したフローチャートに従った手順で処理される。【００６７】  図６はテレビジョン受像機３の画面に所定数のサムネイルが表示された状態を例示する模式図である。図６（ａ）は制限映像のサムネイルがその再生可能時間帯に表示される場合を示し、図６（ｂ）は制限映像のサムネイルがその再生可能時間帯以外の時間帯に表示される場合を示す。【００６８】  テレビジョン受像機３の画面には複数のサムネイル３２，３３（又は３８），３４，３５，３６，３７が表示されている。使用者は、操作部１６又はリモートコントローラを操作していずれかのサムネイルを選択することにより、選択した映像の再生を開始させることができる。図６（ａ）はサムネイル３３が、図６（ｂ）はサムネイル３８がそれぞれ選択されている状態を示している。また、選択されたサムネイルについては、録画開始時刻，録画日，番組名，チャンネル番号等のメタデータ３１が画面左上の部分に表示される。制限映像の再生可能時間帯では、図６（ａ）に示す如く、制限映像のサムネイル３３がそのまま表示されており、メタデータ３１にはサムネイル３３の映像が制限映像であることを示す「ＰＧ１３」の表示も含まれている。一方、制限映像の再生可能時間帯以外の時間帯では、図６（ｂ）に示す如く、制限映像のサムネイル３３は表示されず、その代わりに制限映像の裏番組の映像のサムネイル３８が表示される。但し、このサムネイル３８の映像は制限情報ではないのでそのメタデータ３１には制限映像であることを示すデータは含まれていない。【００６９】  なお、図６には制限映像のサムネイルが一つのみ含まれる例が示されているが、同一画面に同時に表示される所定数のサムネイル中に制限映像のサムネイルが複数存在してもよいことはいうまでもない。但し、個々の制限映像の録画開始時刻が異なる場合には、内部時刻によっては表示される制限映像のサムネイルの数が異なる可能性もある。【００７０】  以上のように本発明の実施の形態１に係る映像再生装置１では、使用者が再生したい映像をサムネイルを選択することによって指定する構成を採っているので、制限映像の再生可能時間帯以外の時間帯には制限映像のサムネイル３３は表示されない。このため、制限映像の再生可能時間帯以外の時間帯には制限映像の再生を開始させることはできない。また、制限映像の再生可能時間帯に制限映像の再生が開始されたとしても、その再生中にその制限映像の再生可能時間帯を過ぎた場合には強制的に制限映像の再生が停止され、次にその制限映像の再生可能時間帯になるまでは制限映像を再生することは出来ない。従って、ドライブ部２２の記録媒体に記録されている制限映像はその再生可能時間帯以外の時間帯においては再生が禁止されることになる。【００７１】  なお、上述した実施の形態１においては、映像の内容情報としてのサムネイルをテレビジョン受像機３の画面に表示させる処理を行なっている。しかし、映像の内容情報として各映像のメタデータをリスト形式でテレビジョン受像機３の画面に表示させ、表示したメタデータを用いて使用者が再生したい映像を選択させるように映像再生装置１を構成することも可能である。この場合においても、個々の制限映像の再生可能時間帯以外の時間帯には、映像再生装置１は各制限映像のメタデータに代えてそれぞれに対応付けられている裏番組のメタデータを表示する。【００７２】  以上詳述��た如く、本発明の実施の形態１に係る映像再生装置１は、若年者層等の視聴可能条件を満たさない視聴者による視聴を制限すべき制限映像を録画する際に裏番組の映像をも録画する。そして、録画した制限映像を示すサムネイルがテレビジョン受像機３の画面に表示される際には、その制限映像の再生可能時間帯以外の時間帯には裏番組の映像のサムネイルが、再生可能時間帯には制限映像のサムネイルがそれぞれ表示される。この結果、制限映像の再生可能時間帯以外の時間帯にはその制限映像のサムネイルはテレビジョン受像機３の画面には表示されないので、視聴者は制限映像が録画されていることを認識できず、それ故に制限映像が再生されることを確実に防止することができる。従って、制限映像の放送時間帯が若年者層が就寝している深夜に限定されている場合には、制限映像が録画されたとしても、録画された制限映像はその制限映像自身の録画開始時刻、即ち実際に放送された際の放送時刻から所定の時刻までの時間帯（その制限映像の再生可能時間帯）においてのみ再生可能であるので、視聴可能条件を満たさない視聴者が制限映像を視聴することを防止することができる。【００７３】  また本発明の実施の形態１に係る映像再生装置１は、制限映像の再生可能時間帯以外の時間帯にはその制限映像の裏番組の映像のサムネイルをテレビジョン受像機３の画面に表示する。これにより、制限映像の録画予約を行なった使用者は裏番組のサムネイルを確認することによって、制限映像のサムネイルが表示されていない場合でも、制限映像が録画されていることを確認することができる。また裏番組の映像は制限映像よりも高い圧縮率でエンコードされてドライブ部２２の記録媒体に記録されるので、裏番組を記録するために余分に必要となる記録媒体の容量を可及的に小さくすることができる。【００７４】  更に本発明においては、外部の時刻（具体的には、映像再生装置１が設置されている地域の標準時）を示す外部時刻情報を用いて内部時刻、即ち計時部１４が計時する映像再生装置１内部の時刻を映像再生装置１外部の時刻に同期させているので、制限映像の再生可能時間帯を正確に管理することができる。このため、映像再生装置１内の計時部１４が計時している内部時刻を故意にずらすことによって、制限映像の再生可能時間帯以外の時間帯にその制限映像を再生するという不正な操作を防止することが可能になる。従って、視聴可能条件を満たさない視聴者が内部時刻を不正に操作することによって、制限映像の再生可能時間帯以外の時間帯にその制限映像を視聴することを確実に防止することができる。【００７５】  なお、本実施の形態１においては、録画予約の際に、番組が制限映像の番組であることを特定する制限情報をＥＰＧデータに基づいて取得するか、又は制限情報を使用者による操作によって取得する構成を採っているが、制限情報を取得する方法はこれに限るものではない。放送局によっては、制限映像を放送する際に、制限映像であることを特定する情報を放送信号に含ませて放送する場合がある。従って、本発明に係る映像再生装置１がそのような制限映像であることを特定する情報を含んだ放送信号を受信して記録する場合には、受信した映像に制限情報を関連付けて記録��る構成を採ることも可能である。【００７６】  なお、本実施の形態１においては、制限映像と共に裏番組の映像を録画しておき、再生可能時間帯以外の時間帯、即ち制限映像の録画開始時刻から所定の時刻までの時間帯以外の時間帯にはその制限映像の代わりに裏番組の映像のサムネイルを表示する処理を行なう構成を採っている。しかし、本実施の形態１に係る映像再生装置１は、裏番組の映像を録画しない構成を採ることも可能である。この場合には、制限映像の再生可能時間帯以外の時間帯にはその制限映像以外の映像のサムネイルのみが所定数表示されるようにすればよい。【００７７】  また、本発明に係る映像再生装置１は、制限映像のサムネイルを再生可能時間帯以外の時間帯でもテレビジョン受像器３に表示させることを可能にしておき、再生可能時間帯以外の時間帯に制限映像のサムネイルを表示させるか否かを使用者が任意に設定可能な構成を採ることも可能である。この場合、再生可能時間帯以外の時間帯に制限映像のサムネイルの再生が指示されたとしても、再生が行なわれないように映像再生装置１を構成すればよい。【００７８】  更に本実施の形態１においては、映像再生装置１自身がドライブ部２２で記録媒体に記録した映像の再生を制限するように構成されているが、これに限るものではない。例えば、他の録画装置によって映像のデータが記録された記録媒体がドライブ部２２に装着された場合には、その記録媒体に記録されている制限映像の再生を制限する処理をも行なえるように構成することも勿論可能である。また映像再生装置１は、再生専用の装置であってもよい。この場合でも、他の録画装置によって記録媒体に記録された映像を再生する際に制限映像の再生を制限することによって、本発明の映像再生装置としての機能を実現することが可能である。【００７９】（実施の形態２）
次に、本発明の実施の形態２に係る映像再生装置について説明する。実施の形態２においては、映像再生装置１は、制限映像が放送される可能性がある深夜の時間帯等の特定の時間帯（以下、制限時間帯という）に録画された映像の再生を一律に制限する処理を行なう。このような本実施の形態２の映像再生装置はたとえば、制限映像の番組を特定する情報を含んでいない番組を予約録画した場合、アナログＴＶ放送をマニュアル設定で予約録画したような場合、又はアナログＴＶ放送を使用者が操作部１６又はリモートコントローラを操作して直接録画を開始させたような場合に有効である。【００８０】  但し、本実施の形態２に係る映像再生装置１の内部構成例は図１に示した実施の形態１に係る映像再生装置のそれと同様であるのでその説明を省略する。実施の形態２においては、使用者が操作部１６又はリモートコントローラを操作することによって、例えば午後１１時から午前５時までのような制限映像が放送される可能性がある特定の時間帯を指定する。映像再生装置１は指定された時間帯を制限時間帯として設定し、設定した制限時間帯をＲＡＭ１２に記憶する。また映像再生装置１は、実施の形態１の場合と同様に、録画予約を受け付け、録画予約された番組の映像とそのメタデータとを関連付けてドライブ部２２で記録媒体に記録する処理を行なう。【００８１】  図７及び図８は実施の形態２に係る映像再生装置１が映像を再生する際の処理手順を示すフローチャートであり、ＲＯＭ１３に記憶されている制御プログラムに従って制御部１１が実行する。【００８２】  制御部１１は、ドライブ部２２の記録媒体に記録されている映像のサムネイルの表示指示の受付を待機している（Ｓ５１）。なお、映像のサムネイルの表示指示は使用者が操作部１６又はリモートコントローラを操作することにより映像再生装置１に与えられる。サムネイルの表示指示の受付がない場合（Ｓ５１：ＮＯ）、制御部１１は、サムネイルの表示指示の受付の待機を継続する。操作部１６又はリモートコントローラ受光部１７でサムネイルの表示指示が受け付けられた場合（Ｓ５１：ＹＥＳ）、制御部１１は、映像に関連付けてドライブ部２２の記録媒体に記録されているメタデータを参照することにより、サムネイルを表示すべき所定数の映像の内に録画開始時刻がＲＡＭ１２が記憶している制限時間帯に含まれる映像（以下、制限時間帯映像という）が含まれているか否かを判定する（Ｓ５２）。制限時間帯映像が含まれていると判定された場合（Ｓ５２：ＹＥＳ）、制御部１１は、内部時刻が制限時間帯内であるか否かを判定する（Ｓ５３）。内部時刻が制限時間帯内ではないと判定された場合（Ｓ５３：ＮＯ）、制御部１１は、制限時間帯映像を除いて所定数の映像のサムネイルをテレビジョン受像機３の画面に表示させる（Ｓ５４）。【００８３】  ステップＳ５２でサムネイルを表示すべき複数の映像の内に制限時間帯映像が無いと判定された場合（Ｓ５２：ＮＯ）、又はステップＳ５３で内部時刻が制限時間帯内であると判定された場合（Ｓ５３：ＹＥＳ）、制御部１１は、出力部２４から所定数のサムネイル用のデータをそのままテレビジョン受像機３へ出力することによって、所定数の映像それぞれに対応する所���数のサムネイルをテレビジョン受像機３の画面に表示させる（Ｓ５５）。【００８４】  ステップＳ５４又はステップＳ５５での処理が終了した後、制御部１１は、サムネイルがテレビジョン受像器３に表示されている複数の映像の内のいずれかの再生指示の受付を待機している（Ｓ５６）。なお、映像の再生指示は操作部１６又はリモートコントローラを使用者が操作することにより映像再生装置１に与えられる。再生指示の受付がない場合（Ｓ５６：ＮＯ）、制御部１１は、処理をステップＳ５２へ戻す。従って、サムネイルが表示された状態で使用者が何等の操作も行なわない場合、制御部１１は上述したステップＳ５２からステップＳ５６へ至る処理を反復することにより、所定数のサムネイルの表示を継続する。【００８５】  ところでこの場合には、上述したステップＳ５２での判定結果は変化することは無く、「ＮＯ」である場合は（所定数のサムネイル中に制限時間帯映像が含まれていない）、制御部１１はそれまでと同一のサムネイルをテレビジョン受像器３の画面に表示させ続ける。また、ステップＳ５２での判定結果が「ＹＥＳ」である場合（所定数のサムネイル中に制限時間帯映像が含まれている）、制御部１１は、前述した如くステップＳ５３での判定処理を行なう。ところで、ステップＳ５３での判定結果は時間の経過に伴なって「ＹＥＳ」から「ＮＯ」へ、又は逆に「ＮＯ」から「ＹＥＳ」へ変化する場合がある。従って、サムネイルが表示された状態で使用者が何等の操作も行なわない間に、内部時刻が制限時間帯外（Ｓ５３：ＮＯ）から制限時間帯内になった場合（Ｓ５３：ＹＥＳ）、それまでは表示されていなかった制限時間帯映像のサムネイルを含む所定数のサムネイルが表示される（Ｓ５５）。逆に、サムネイルが表示された状態で使用者が何等の操作も行なわない間に、内部時刻が制限時間帯内（Ｓ５３：ＹＥＳ）から制限時間帯外になった場合（Ｓ５３：ＮＯ）、それまで表示されていた制限時間帯映像のサムネイルを含まない所定数のサムネイルが表示される（Ｓ５４）。【００８６】  いずれにしろ以上のようにして所定数のサムネイルが表示されている間に、いずれかの映像の再生指示が受け付けられた場合（Ｓ５６：ＹＥＳ）、制御部１１は、再生が指示された映像のデータをドライブ部２２に記録媒体から読み出させ、読み出されたデータを信号処理部２１に処理させて出力部２４からテレビジョン受像器３へ出力させる。このようにして信号処理部２１から出力されたデータに基づいてテレビジョン受像器３の画面に映像が表示されることにより、再生が指示された映像の再生が開始される（Ｓ５７）。【００８７】  映像の再生が開始された後は映像の再生が終了するまで、制御部１１は以下のような処理を反復実行する。まず、制御部１１は再生中の映像が制限時間帯映像であるか否かを判定する（Ｓ５８）。再生中の映像が制限時間帯映像ではない場合（Ｓ５８：ＮＯ）、制御部１１は再生中の映像が最後まで再生されたか否か（Ｓ５９）、及び操作部１６又はリモートコントローラを使用者が操作することによる再生停止指示を受け付けたか否かを判定する（Ｓ６０）。再生中の映像の再生が最後までは行なわれておらず（Ｓ５９：ＮＯ）、且つ再生停止指示が受��付けられていない場合（Ｓ６０：ＮＯ）、制御部１１は映像の再生を継続しつつ（Ｓ６１）、ステップＳ５８へ処理を戻して上述同様の処理を反復する。再生中の映像の再生が最後まで行なわれた場合（Ｓ５９：ＹＥＳ）、又は再生停止指示が受け付けられた場合（Ｓ６０：ＹＥＳ）、制御部１１は映像の再生を停止し（Ｓ６２）、ステップＳ５１へ処理を戻す。従って、録画開始時刻が制限時間帯に含まれない映像、即ち制限時間帯映像ではない映像の再生が開始された場合は、使用者が再生の停止を指示しない限りはその映像は最後まで再生される。【００８８】  再生中の映像が制限時間帯映像である場合（Ｓ５８：ＹＥＳ）、制御部１１は、内部時刻が制限時間帯内であるか否かを判定する（Ｓ６３）。内部時刻が制限時間帯内であると判定された場合（Ｓ６３：ＹＥＳ）、制御部１１は、ステップＳ５９へ処理を進め、再生中の映像が制限時間帯映像ではない上述した場合と同様の処理を行なう。【００８９】  しかし、内部時刻が制限時間帯内ではないと判定された場合（Ｓ６３：ＮＯ）、具体的には制限時間帯映像の再生中に内部時刻が制限時間帯内（Ｓ６３：ＹＥＳ）から制限時間帯外になった場合（Ｓ６３：ＮＯ）、制御部１１は、再生中の制限時間帯映像の再生を強制的に停止し（Ｓ６２）、ステップＳ５１へ処理を戻す。従って、制限時間帯において制限時間帯映像の再生を開始することが出来たとしても、制限時間帯が終了した時点で映像の再生が停止される。この場合、既に制限時間帯を過ぎているので、再生が停止された映像を再度再生させるために使用者がサムネイルの表示を再度指示したとしても制限時間帯映像のサムネイルは表示されない。従って、強制的に再生が停止された映像は、次に制限時間帯になるまでは再生することは出来ない。【００９０】  なお、テレビジョン受像器３の画面に表示されている所定数のサムネイルに対応する数以上の映像がドライブ部２２の記録媒体に記録されている場合、使用者が操作部１６又はリモートコントローラを操作することにより、録画開始時刻が新しい側から古い側へ所定数単位で順次的に各映像のサムネイルを表示させることが可能である。勿論、このようにして表示されたサムネイルは前述同様にして、使用者が操作部１６又はリモートコントローラを操作することにより指定すれば対応する映像の再生が開始され、図７及び図８に示したフローチャートに従った手順で処理される。【００９１】  以上のように本実施の形態２においては、制限映像が放送される可能性がある深夜の時間帯等が制限時間帯として設定される。そして、録画された映像のサムネイルが映像の再生のために表示される際に、設定されている制限時間帯に含まれる時刻に録画が開始された映像（制限時間帯映像）のサムネイルについては、制限時間帯には表示され、制限時間帯以外の時間帯には表示されない。この結果、制限映像が含まれる可能性がある制限時間帯に含まれる時刻に録画を開始した映像（制限時間帯映像）のサムネイルは制限時間帯以外の時間帯にはテレビジョン受像機３の画面には表示されないので、視聴者はそのような映像が録画されていることを認識できず、それ故に制限映像が再生されることを確実に防止することができる。また、制限時間帯に制限時間帯映像の再生が開始されたとしても、その再生中に制限時間帯を過ぎた場合には強制的に制限時間帯映像の再生が停止され、次に制限時間帯になるまでは再生することは出来ない。従って、制限時間帯に放送された制限映像が録画されたとしても、録画された制限映像は制限時間帯においてのみ再生可能であるので、視聴可能条件を満たさない視聴者が制限映像を視聴することを防止することができる。【００９２】  なお、本実施の形態２においては、映像再生装置１自身がドライブ部２２で記録媒体に記録した映像の再生を制限するように構成されているが、これに限るものではない。例えば、他の録画装置によって映像のデータが記録された記録媒体がドライブ部２２に装着された場合には、その記録媒体に記録されている映像の内の録画開始時刻が本発明に係る映像再生装置１に設定されている制限時間帯に含まれる映像（制限時間帯映像）の再生を制限時間帯以外の時間帯には禁止する処理をも行なえるように構成することも勿論可能である。また映像再生装置１は、再生専用の装置であってもよい。この場合でも、他の録画装置によって記録媒体に記録された映像を再生する際に、録画開始時刻が映像再生装置１に設定されている制限時間帯に含まれる映像の再生を制限時間帯以外の時間帯に禁止することによって、本発明の映像再生装置としての機能を実現することが可能である。【００９３】（実施の形態３）
次に、本発明の実施の形態３に係る映像再生装置について説明する。前述した実施の形態１に係る映像再生装置１は、記録されている制限映像の録画開始時刻から所定の時刻までの時間帯（制限映像の再生可能時間帯）以外の時間帯にその制限映像を再生することを禁止することによって視聴可能条件を満たさない視聴者による制限映像の視聴を制限するように構成されている。しかし、本発明の実施の形態３に係る映像再生装置１は、制限映像をその再生可能時間帯以外の時間帯においては画質を劣化させて再生させる。【００９４】  但し、本実施の形態３に係る映像再生装置１の内部構成例は図１に示した実施の形態１に係る映像再生装置のそれと同様であるのでその説明を省略する。また本実施の形態３に係る映像再生装置１は、実施の形態１の場合と同様に、録画予約を受け付け、録画予約された番組の映像とそのメタデータとを関連付けてドライブ部２２で記録媒体に記録する処理を行なう。また本実施の形態３に係る映像再生装置１は、録画している複数の映像の内から再生する映像を使用者が選択するための支援手段として、各映像に含まれる映像を縮小したサムネイルをテレビジョン受像機３の画面に表示させることも実施の形態１の場合と同様である。但し、本実施の形態３では、時間帯には拘わらずに制限映像のサムネイルも表示される。【００９５】  図９、図１０及び図１１は実施の形態３に係る映像再生装置１が映像を再生する際の処理手順を示すフローチャートであり、ＲＯＭ１３に記憶されている制御プログラムに従って制御部１１が実行する。【００９６】  映像再生装置１の制御部１１は、テレビジョン受像機３の画面にサムネイルが表示された複数の映像の内から再生すべき映像を指定する再生指示を受け付ける（Ｓ７１）。この際、上述した如く、時間帯には拘わらずに制限映像のサムネイルも表示される。また、再生指示は使用者が操作部１６又はリモートコントローラを操作することにより映像再生装置１に与えられる。制御部１１は、次に、再生すべき映像が、制限情報が関連付けられてドライブ部２２の記録媒体に記録されている制限映像であるか否かを判定する（Ｓ７２）。再生すべき映像が制限映像であると判定された場合（Ｓ７２：ＹＥＳ）、制御部１１は、内部時刻が再生すべき制限映像の録画開始時刻からＲＯＭ１３が記憶している所定の時刻までの時間帯、即ちその制限映像の再生可能時間帯内であるか否かを判定する（Ｓ７３）。内部時刻が再生すべき制限映像の再生可能時間帯内ではないと判定された場合（Ｓ７３：ＮＯ）、制御部１１は、再生が指示された映像のデータを記録媒体からドライブ部２２に読み出させ、読み出したデータから赤色成分を低減する信号処理を信号処理部２１に行なわせて出力部２４からテレビジョン受像器３へ出力させる。これにより、映像再生装置１は本来の映像に含まれる赤色が減色された映像の再生をテレビジョン受像器３に開始させる（Ｓ７４）。【００９７】  一方、ステップＳ７２で再生すべき映像が制限映像ではないと判定された場合（Ｓ７２：ＮＯ）、又はステップＳ７３で内部時刻が再生すべき制限映像の再生可能時間帯内であると判定された場合（Ｓ７３：ＹＥＳ）、制御部１１は、映像をそのままテレビジョン���像機３の画面に表示させることにより、再生が指示された映像（赤色が減色されていない原映像）の再生を開始する（Ｓ７５）。【００９８】  ステップＳ７４又はＳ７５において映像の再生が開始された後は映像の再生が終了するまで、制御部１１は以下のような処理を反復実行する。まず、制御部１１は再生中の映像が制限映像であるか否かを判定する（Ｓ７６）。再生中の映像が制限映像ではない場合（Ｓ７６：ＮＯ）、制御部１１は再生中の映像が最後まで再生されたか否か（Ｓ７７）、及び操作部１６又はリモートコントローラを使用者が操作することによる再生停止指示を受け付けたか否かを判定する（Ｓ７８）。再生中の映像の再生が最後までは行なわれておらず（Ｓ７７：ＮＯ）、且つ再生停止指示が受け付けられていない場合（Ｓ７８：ＮＯ）、制御部１１は再生中の映像（この場合は赤色が減色されていない原映像）の再生を継続しつつ（Ｓ７９）、ステップＳ７６へ処理を戻して上述同様の処理を反復する。再生中の映像（この場合は原映像）の再生が最後まで行なわれた場合（Ｓ７７：ＹＥＳ）、又は再生停止指示が受け付けられた場合（Ｓ７８：ＹＥＳ）、制御部１１は映像の再生を停止し（Ｓ８０）、ステップＳ７１へ処理を戻す。従って、制限映像ではない映像の再生が開始された場合は、使用者が再生の停止を指示しない限りはその映像は最後まで再生される。【００９９】  再生中の映像が制限映像である場合（Ｓ７６：ＹＥＳ）、制御部１１は、再生中の映像が原映像であるか否かを判定する（Ｓ８１）。再生中の映像が原映像である場合（Ｓ８１：ＹＥＳ）、制御部１１は次に、内部時刻が制限映像の再生可能時間帯内であるか否かを判定する（Ｓ８２）。内部時刻が制限映像の再生可能時間帯内であると判定された場合（Ｓ８２：ＹＥＳ）、制御部１１は、ステップＳ７７へ処理を進め、再生中の映像が制限映像ではない上述した場合と同様の処理を行なう。【０１００】  しかし、内部時刻が制限映像の再生可能時間帯内ではないと判定された場合（Ｓ８２：ＮＯ）、具体的には制限映像の再生中に内部時刻が再生可能時間帯内（Ｓ８２：ＹＥＳ）から再生可能時間帯外になった場合（Ｓ８２：ＮＯ）、制御部１１は、それまで原映像のままで再生中であった制限映像を、その時点以降は赤色を減色して再生を再開する（Ｓ８３）。【０１０１】  このようにして赤色が減色された制限映像の再生が開始された後は制限映像の再生が終了するまで、制御部１１は以下のような処理を反復実行する。まず、制御部１１は再生中の制限映像が最後まで再生されたか否か（Ｓ７７）、及び操作部１６又はリモートコントローラを使用者が操作することによる再生停止指示を受け付けたか否かを判定する（Ｓ７８）。再生中の赤色が減色された制限映像の再生が最後までは行なわれておらず（Ｓ７７：ＮＯ）、且つ再生停止指示が受け付けられていない場合（Ｓ７８：ＮＯ）、制御部１１は赤色が減色された制限映像の再生を継続しつつ（Ｓ７９）、ステップＳ７６へ処理を戻して上述同様の処理を反復する。再生中の赤色が減色された映像の再生が最後まで行なわれた場合（Ｓ７７：ＹＥＳ）、又は再生停止指示が受け付けられた場合（Ｓ７８：ＹＥＳ）、制御部１１は赤色が減色された制限映��の再生を停止し（Ｓ８０）、ステップＳ７１へ処理を戻す。従って、制限映像の再生が再生可能時間帯に開始された後にその制限映像の再生可能時間帯が過ぎた場合も、使用者が再生の停止を指示しない限りはその制限映像は赤色が減色された状態で最後まで再生される。【０１０２】  一方、再生中の映像が制限映像ではあるが原映像ではない場合、即ち制限映像が赤色が減色された状態で再生されている場合は（Ｓ７６：ＹＥＳ、且つＳ８１：ＮＯ）、制御部１１は、次に、内部時刻が制限映像の再生可能時間帯内であるか否かを判定する（Ｓ８４）。内部時刻が制限映像の再生可能時間帯内ではないと判定された場合（Ｓ８４：ＮＯ）、制御部１１は、ステップＳ７７へ処理を進めて上述同様の処理を行なう。【０１０３】  しかし、内部時刻が制限映像の再生可能時間帯内であると判定された場合（Ｓ８４：ＹＥＳ）、具体的には赤色が減色された制限映像の再生中に内部時刻が再生可能時間帯外（Ｓ８４：ＮＯ）から再生可能時間帯内になった場合（Ｓ８４：ＹＥＳ）、制御部１１は、それまで赤色を減色して再生中であった制限映像をその時点以降は原映像に復元して再生を再開する（Ｓ８５）。この後は、制御部１１は、ステップＳ７７へ処理を進めて上述同様の処理を行なう。【０１０４】  従って、制限映像の再生が再生可能時間帯以外の時間帯に赤色が減色された状態で開始された後にその制限映像の再生可能時間帯になった場合は、使用者が再生の停止を指示しない限りはその制限映像は原映像の状態で最後まで再生される。【０１０５】  以上のように本発明の実施の形態３に係る映像再生装置１では、テレビジョン受像機３の画面で再生される映像から赤色を減色することによって、例えば暴力表現では血の色が本来の色には見えなくなり、性的描写では肌色が青っぽく見えるので、制限映像が視聴者に与える影響は軽減される。従って、本実施の形態３においては、再生可能時間帯以外の時間帯に再生される制限映像の画質を劣化させることにより、再生可能時間帯以外の時間帯に間違って制限映像を再生した場合においても、制限映像の視聴を制限する必要がある若年者層等の視聴可能条件を満たさない視聴者に与える影響を抑制することが可能になる。【０１０６】  なお本実施の形態３においては、再生可能時間帯以外の時間帯に制限映像を再生する際に、一例としてその制限映像に含まれる赤色を減色するように映像再生装置が構成されているが、制限映像の画質を劣化させる方法はこれに限るものではない。他の方法として、本発明に係る映像再生装置１が再生可能時間帯以外の時間帯に制限映像を再生する際に、制限映像を例えばモノクロームに変換するか又は制限映像にモザイク処理を施す等、その他の方法を用いて制限映像を劣化させる処理を行なうようにしてもよい。【０１０７】（実施の形態４）
次に、本発明の実施の形態４に係る映像再生装置について説明する。前述した実施の形態２に係る映像再生装置は、特定の制限時間帯に録画した映像を制限時間帯以外の時間帯に再生することを禁止することによって視聴可能条件を満たさない視聴者による制限映像の視聴を制限するように構成されている。しかし、本発明の実施の形態４に係る映像再生装置１は、特定の制限時間帯に録画した映像を制限時間帯以外の時間帯においては画質を劣化させて再生する。このような本実施の形態４の映像再生装置はたとえば、制限映像の番組を特定する情報を含んでいない番組を予約録画した場合、アナログＴＶ放送をマニュアル設定で予約録画したような場合、又はアナログＴＶ放送を使用者が操作部１６又はリモートコントローラを操作して直接録画を開始させたような場合に有効である。【０１０８】  但し、本実施の形態４に係る映像再生装置１の内部構成例は図１に示した実施の形態１に係る映像再生装置のそれと同様であるのでその説明を省略する。また本実施の形態４に係る映像再生装置１は、実施の形態２の場合と同様に、予め設定された制限時間帯をＲＡＭ１２に記憶させており、録画予約を受け付け、録画予約された番組の映像とそのメタデータとを関連付けてドライブ部２２で記録媒体に記録する処理を行なう。また映像再生装置１は、録画している複数の映像の中から再生する映像を使用者に選択させるための支援手段として各映像に含まれる映像を縮小したサムネイルをテレビジョン受像機３の画面に表示させる処理を行なうことも実施の形態２と同様である。但し、本実施の形態４では、時間帯には拘わらずに制限映像のサムネイルも表示される。【０１０９】  図１２、図１３及び図１４は実施の形態４に係る映像再生装置１が映像を再生する際の処理手順を示すフローチャートであり、ＲＯＭ１３に記憶されている制御プログラムに従って制御部１１が実行する。【０１１０】  映像再生装置１の制御部１１は、使用者が操作部１６又はリモートコントローラを操作することによって、テレビジョン受像機３の画面にサムネイルを表示した複数の映像の中から再生すべき映像を指定する再生指示を受け付ける（Ｓ１０１）。この際、上述した如く、時間帯には拘わらずに制限映像のサムネイルも表示される。また、再生指示は使用者が操作部１６又はリモートコントローラを操作することにより映像再生装置１に与えられる。制御部１１は、次に、再生すべき映像の録画開始時刻がＲＡＭ１２に記憶された制限時間帯に含まれるか否か、即ち制限時間帯映像であるか否かを判定する（Ｓ１０２）。制限時間帯映像であると判定された場合（Ｓ１０２：ＹＥＳ）、制御部１１は、次に、内部時刻が制限時間帯内であるか否かを判定する（Ｓ１０３）。内部時刻が制限時間帯内ではないと判定された場合（Ｓ１０３：ＮＯ）、制御部１１は、再生が指示された映像のデータを記録媒体からドライブ部２２に読み出させ、読み出したデータから赤色成分を低減する信号処理を信号処理部２１に行なわせて出力部２４からテレビジョン受像器３へ出力させる。これにより、映像再生装置１は本来の映像に含まれる赤色が減色された映像の再生をテレビジョン受像器３に開始させる（Ｓ１０４）。【０１１１】  ステ���プＳ１０２で再生すべき映像の録画開始時刻が制限時間帯に含まれない、即ち制限時間帯映像ではないと判定された場合（Ｓ１０２：ＮＯ）、又はステップＳ１０３で内部時刻が制限時間帯内であると判定された場合（Ｓ１０３：ＹＥＳ）、制御部１１は、映像をそのままテレビジョン受像機３の画面に表示させることにより、再生が指示された映像（赤色が減色されていない原映像）の再生を開始させる（Ｓ１０５）。【０１１２】  ステップＳ１０４又はＳ１０５において映像の再生が開始された後は映像の再生が終了するまで、制御部１１は以下のような処理を反復実行する。まず、制御部１１は再生中の映像が制限時間帯映像であるか否かを判定する（Ｓ１０６）。再生中の映像が制限時間帯映像ではない場合（Ｓ１０６：ＮＯ）、制御部１１は再生中の映像が最後まで再生されたか否か（Ｓ１０７）、及び操作部１６又はリモートコントローラを使用者が操作することによる再生停止指示を受け付けたか否かを判定する（Ｓ１０８）。再生中の映像の再生が最後までは行なわれておらず（Ｓ１０７：ＮＯ）、且つ再生停止指示が受け付けられていない場合（Ｓ１０８：ＮＯ）、制御部１１は再生中の映像（この場合は赤色が減色されていない原映像）の再生を継続しつつ（Ｓ１０９）、ステップＳ１０６へ処理を戻して上述同様の処理を反復する。再生中の映像（この場合は原映像）の再生が最後まで行なわれた場合（Ｓ１０７：ＹＥＳ）、又は再生停止指示が受け付けられた場合（Ｓ１０８：ＹＥＳ）、制御部１１は映像の再生を停止し（Ｓ１１０）、ステップＳ１０１へ処理を戻す。従って、制限時間帯映像ではない映像の再生が開始された場合は、使用者が再生の停止を指示しない限りはその映像は最後まで再生される。【０１１３】  再生中の映像が制限時間帯映像である場合（Ｓ１０６：ＹＥＳ）、制御部１１は、再生中の映像が原映像であるか否かを判定する（Ｓ１１１）。再生中の映像が原映像である場合（Ｓ１１１：ＹＥＳ）、制御部１１は次に、内部時刻が制限時間帯内であるか否かを判定する（Ｓ１１２）。内部時刻が制限時間帯内であると判定された場合（Ｓ１１２：ＹＥＳ）、制御部１１は、ステップＳ１０７へ処理を進め、再生中の映像が制限時間帯映像ではない上述した場合と同様の処理を行なう。【０１１４】  しかし、内部時刻が制限時間帯内ではないと判定された場合（Ｓ１１２：ＮＯ）、具体的には制限時間帯映像の再生中に内部時刻が制限時間帯内（Ｓ１１２：ＹＥＳ）から制限時間帯外になった場合（Ｓ１１２：ＮＯ）、制御部１１は、それまで原映像のままで再生中であった制限時間帯映像をその時点以降は赤色を減色して再生を再開する（Ｓ１１３）。【０１１５】  このようにして赤色が減色された制限時間帯映像の再生が開始された後はその映像の再生が終了するまで、制御部１１は以下のような処理を反復実行する。まず、制御部１１は再生中の映像（制限時間帯映像から赤色を減色した映像）が最後まで再生されたか否か（Ｓ１０７）、及び操作部１６又はリモートコントローラを使用者が操作することによる再生停止指示を受け付けたか否かを判定する（Ｓ１０８）。再生中の赤色が減色された映像の再生が最後までは行なわれておらず（Ｓ１０７：ＮＯ）、且つ��生停止指示が受け付けられていない場合（Ｓ１０８：ＮＯ）、制御部１１は赤色が減色された映像の再生を継続しつつ（Ｓ１０９）、ステップＳ１０６へ処理を戻して上述同様の処理を反復する。再生中の赤色が減色された映像の再生が最後まで行なわれた場合（Ｓ１０７：ＹＥＳ）、又は再生停止指示が受け付けられた場合（Ｓ１０８：ＹＥＳ）、制御部１１は赤色が減色された映像の再生を停止し（Ｓ１１０）、ステップＳ１０１へ処理を戻す。【０１１６】  従って、制限時間帯映像の再生が原映像の状態で制限時間帯に開始された後に制限時間帯が過ぎた場合は、使用者が再生の停止を指示しない限りはその映像は赤色が減色された状態で最後まで再生される。【０１１７】  一方、再生中の映像が制限時間帯映像ではあるが原映像ではない場合、即ち制限時間帯映像が赤色が減色された状態で再生されている場合は（Ｓ１０６：ＹＥＳ、且つＳ１１１：ＮＯ）、制御部１１は、次に、内部時刻が制限時間帯内であるか否かを判定する（Ｓ１１４）。内部時刻が制限時間帯内ではないと判定された場合（Ｓ１１４：ＮＯ）、制御部１１は、ステップＳ１０７へ処理を進めて上述同様の処理を行なう。【０１１８】  しかし、内部時刻が制限時間帯内であると判定された場合（Ｓ１１４：ＹＥＳ）、具体的には制限時間帯映像が赤色が減色された状態で再生中に内部時刻が制限時間帯外（Ｓ１１４：ＮＯ）から制限時間帯内になった場合（Ｓ１１４：ＹＥＳ）、制御部１１は、それまで赤色を減色して再生中であった映像をその時点以降は原映像に復元して再生を再開する（Ｓ１１５）。この後は、制御部１１は、ステップＳ１０７へ処理を進めて上述同様の処理を行なう。【０１１９】  従って、制限時間帯映像の再生が赤色が減色された状態で制限時間帯以外の時間帯に開始された後に制限時間帯になった場合は、その後は使用者が再生の停止を指示しない限りはその映像は原映像の状態で最後まで再生される。【０１２０】  以上のように本実施の形態４においても前述した実施の形態３の場合と同様に、制限映像である可能性が高い録画開始時刻が制限時間帯に含まれる映像（制限時間帯映像）の赤色を減色することによって、映像が視聴者に与える影響が軽減される。従って、本実施の形態４においては、制限映像が放送される可能性がある制限時間帯に録画した映像（制限時間帯映像）を再生する際に映像の画質を劣化させることにより、制限時間帯以外の時間帯に間違って制限映像が再生された場合においても、制限映像の視聴を制限する必要がある若年者層等の視聴可能条件を満たさない視聴者に与える影響を抑制することが可能になる。【０１２１】  なお本実施の形態４においては、前述した実施の形態３と同様に、制限映像である可能性が高い映像（制限時間帯映像）の画質を劣化させる方法として映像に含まれる赤色を減色する方法を用いる形態を示したが、これに限るものではない。他の方法として、本発明に係る映像再生装置１が制限間帯以外の時間帯に映像を再生する際に、映像を例えばモノクロームに変換するか又は映像にモザイク処理を施す等、その他の方法を用いて映像を劣化させる処理を行なうようにしてもよい。
【産業上の利用可能性】
【０１２２】  なお、上述の各実施の形態ではテレビジョン受像機の画面に映像を再生する例について説明したが、本発明に係る映像再生装置そのものにモニタ及びスピーカを備える構成も可能であり、更にモニタ及びスピーカを備えたパーソナルコンピュータシステムに本発明を適用することも勿論可能である。【０１２３】  また上述の実施の形態では、制限画像、即ち特定の映像を視聴することが可能な条件を満たさない視聴者による視聴を制限すべき映像としてＰＧ１３（Ｐａｒｅｎｔａｌ  Ｇｕｉｄａｎｃｅ  １３ｔｈ）指定の映像（番組）を例示したがこれに限るものではない。
【図１】
0004744524.tif 000002
【図２】
0004744524.tif 000003
【図３】
0004744524.tif 000004
【図４】
0004744524.tif 000005
【図５】
0004744524.tif 000006
【図６】
0004744524.tif 000007
【図７】
0004744524.tif 000008
【図８】
0004744524.tif 000009
【図９】
0004744524.tif 000010
【図１０】
0004744524.tif 000011
【図１１】
0004744524.tif 000012
【図１２】
0004744524.tif 000013
【図１３】
0004744524.tif 000014
【図１４】
0004744524.tif 000015